(57)【特許請求の範囲】
【請求項１】
弁本体と、該弁本体に形成された挿入穴から該弁本体内に挿入され、前記弁本体に形成された隔壁に設けられた開口部に配置されるボールバケットと、該ボールバケット内に収受されるボールと、前記挿入穴に取付けられるキャップとを備えたボールリフト型逆止弁において、前記ボールバケットは単一の部材で構成され、前記ボールを収受した前記ボールバケットは前記キャップに対して回転可能で軸方向移動不能に取付けられ、前記弁本体と前記ボールバケットとには、前記弁本体に対する前記ボールバケットの回転方向での位置決めを行ない、前記ボールバケットの回転を阻止する位置決め手段が設けられていることを特徴とする、ボールリフト型逆止弁。
【請求項２】
請求項1記載のボールリフト型逆止弁において、前記位置決め手段は、前記弁本体の挿入穴内周部と前記ボールバケットの外周部のいずれか一方に形成された突部要素と他方に形成された凹部要素とからなることを特徴とする、ボールリフト型逆止弁。
【請求項３】
請求項２記載のボールリフト型逆止弁において、前記ボールバケット側に形成された位置決め手段の要素は、前記ボールバケットの上部から下部に渡って所定の長さに形成されていることを特徴とする、ボールリフト型逆止弁。
【請求項４】
請求項３記載のボールリフト型逆止弁において、前記ボールバケット側に形成された位置決め手段の要素は、突状のリブとして形成され、前記弁本体側の位置決め手段の要素は、前記挿入穴の内壁に形成された縦溝であることを特徴とする、前記ボールリフト型逆止弁。
【発明の詳細な説明】
【技術分野】
【０００１】
本願発明は、弁本体内に収受された弁体としてのボールを弁座に離着座させ、一方向への流れのみを許容するボールリフト型逆止弁に関する。さらに詳細に言えば、ボールを直接収受するボールバケットの弁本体への取付け或いは取出しが容易にでき、メンテナンス等の作業能率の向上が図れるボールリフト型逆止弁に関する。
【背景技術】
【０００２】
従来から弁本体内にボールバケット（籠体）を配置し、該ボールバケット内に収受したボールをボールバケット下部に設けられた弁座に離着座させ、順方向への流体の流れを許容する一方、逆方向への流れを阻止するボールリフト型逆止弁が知られている。例えば実開昭５７−１６７９６１にその一例が開示されている。この文献に開示されているのは逆止弁付き止水栓であるが、そこに示されている逆止弁はボールリフト型逆止弁である。
【０００３】
このような逆止弁では、弁本体に形成されたボールバケット挿入穴からボールバケットを挿入し、本体内部を二つの室に分ける隔壁に形成された連通開口部に該ボールバケットを配置した後、そのボールバケット内へ弁体としてのボールを入れ、キャップをボールバケット挿入穴に取付けるようになっている。
【０００４】
ところで、口径の小さい逆止弁の場合、逆止弁全体が比較的に小型であり、ボールバケットが挿入される穴も小さいためにボールバケットを指で摘まんで穴に挿入する寸法的な余裕がない。そのため、ボールバケットを穴に落とし込んでから指先などでその傾きを直したり、ボールバケットの円周方向での取付け位置の調整を行なうこととなる。また、メンテナンスを行なうためにボールバケットを取り出す場合など、今度はボールバケット内にボールが入っているので指先を入れる寸法的余裕はさらに小さくなっており、指を使っての取り出しはほぼ不可能に近い。このため針金などの先に引っ掛けて取り出す必要があり、取付け、取外しいずれの場合にも作業がし難く、作業能率の点で問題となっていた。
【特許文献１】実開平５７−１６７９６１号公報
【発明の開示】
【発明が解決しようとする課題】
【０００５】
本願発明は上記従来の問題点に鑑みなされたものであり、弁本体へのボールバケット及びボールの取付け、取外しが容易にでき、メンテナンス作業等の作業効率の向上を図れるボールリフト型逆止弁を提供することをその課題とする。  
【課題を解決するための手段】
【０００６】
上記課題を解決するために本願発明は、弁本体と、該弁本体に形成された挿入穴から該弁本体内に挿入され、弁本体に形成された隔壁に設けられた開口部に配置されるボールバケットと、該ボールバケッット内に収受されるボールと、挿入穴に取付けられるキャップとを備えたボールリフト型逆止弁において、ボールバケットを単一の部材で構成し、ボールを収受したボールバケットをキャップに対して回転可能で軸方向移動不能に取り付け、弁本体とボールバケットとには、弁本体に対するボールバケットの回転方向での位置決めを行ない、且つボールバケットの回転を阻止する位置決め手段を設ける構成とした。これによりボールとボールバケットとキャップとを事前にバケット組立体として組立て、その状態で弁本体への取付け、或いは取外しが行えるので、その作業の能率が従来に比して格段に向上する。
前述の位置決め手段は、弁本体の挿入穴内周部とボールバケットの外周部のいずれか一方に形成された突部要素と他方に形成された凹部要素とで構成することができる。そして、ボールバケット側に形成された位置決め手段の要素は、ボールバケットの上部から下部に渡って所定の長さに形成することができる。さらに具体的には、ボールバケット側に形成された位置決め手段の要素は、突状のリブとして形成され、弁本体側の位置決め手段の要素は、挿入穴の内壁に形成された縦溝で構成することができる。
【発明の効果】
【０００７】
上記の通りボールとボールバケットとキャップとを事前にバケット組立体として組立て、その状態で弁本体への取付け、或いは取外しが行えるので、その作業の能率が従来に比して格段に向上する。
ボールバケットをキャップに対して回転可能に取付け、弁本体とボールバケットとに、弁本体に対するボールバケットの回転方向での位置決めを行ない、且つボールバケットの回転を阻止する位置決め手段を設けることにより、ボールバケットに設けられた水を通すための開口の円周方向での位置が正しく設定され、取り付け中は勿論、取付け後の使用中においてもその位置がずれることがなく、騒音、振動などの発生が防止できる。
位置決め手段は、弁本体の挿入穴内周部とボールバケットの外周部のいずれか一方に形成された突部要素と他方に形成された凹部要素とで構成し、簡易なものとすることができる。そしてボールバケット側に形成された位置決め手段の要素は、ボールバケットの上部から下部に渡って所定の長さに形成することにより、ボールバケットを挿入する際の位置決めがきわめて容易になる。
ボールバケット側に形成された位置決め手段の要素は、突状のリブとして形成し、弁本体側の位置決め手段の要素は、挿入穴の内壁に形成された縦溝として形成し、このように簡単な構成で正確且つ確実にボールバケットの位置決めと回転止めを行うことができる。
【発明を実施するための最良の形態】
【０００８】
以下、本発明を具体化した実施形態を図面に基づいて説明する。図１は、本発明の実施形態によるボールリフト型逆止弁１（以下、単に「逆止弁」という。）の縦断面図、図２はボールバケット３１とキャップ６１とを組立てた状態の縦断面図、図３はボール８１を入れたボールバケット３１とキャップ６１とを組立てたバケット組立体８３の縦断面図である。
【０００９】
図１において、符号３は弁本体であり、両端に流入口５と流出口７とを備え、内部は隔壁９によって上流側室１１と下流側室１３とに仕切られ、該隔壁９には両方の室１１，１３を連通する連通開口１５が形成されている。また、隔壁９の上面側で連通開口１５の周りに後述するボールバケット３１の下側の部分を収受して位置決めする円形の壁１７が連通開口１５と同心状に形成されている。また、弁本体３には隔壁９の上方において、ボールバケット３１を挿入するための筒部１９が形成され、その内側には雌ネジ２１が刻設され、その下には幅の短い内向きフランジ２３が形成されている。符号３１はボールバケット、６１はキャップ、８１はボールである。これらについては図２以下を参照して説明する。
【００１０】
図２はボールバケット３１をキャップ６１に組付けた状態を示す縦断面図である。ボールバケット３１は上下両端が開口した概略筒状の形をしており、その周壁３２には図において右側に大きな開口３３が、それから両側に距離を隔ててそれより小さい開口３５が二つ形成されている。弁本体３内に配置されるときには、開口３３が下流側を向くように位置決めされて配置される。ボールバケット３１の周壁３２の外周上に開口３３と径方向反対側の位置において、上端から下方へ所定の長さで伸びるリブ３７が形成されている。これについては後述する。
【００１１】
ボールバケット３１の下端部３９の内周側には内向きのフランジ４１が、上端部４３の内周側には円周方向に伸びる溝４５が形成されている。そして下端部３９にはゴムなど弾性材料で作られた弁座部材４７が取り付けられている。すなわち弁座部材４７は中央の開口４８を有し、上端が弁座部５１となっている筒部４９とその下端から外方へ拡がるフランジ５３とを備え、筒部４９の下端外周上に形成された円周溝５５に前述のボールバケット３１のフランジ４１が嵌ることによりボールバケット３１に一体的に取り付けられている。フランジ５３の下面側には開口４８と同心状に円周突起５７が形成されている。
【００１２】
キャップ６１は、上側が閉じた中空の部材であり、上側の外形形状が六角形になっている摘み部６３と、摘み部６３の下端で外方へ拡がるフランジ６５と、内径、外径共に摘み部６３より大きくされ、その外周に雄ネジ６９が形成された本体取付け部６７と、本体取付け部６７の下端から下方へ伸びる、内径は本体取付け部６７と同じで外周は小さく、先端に外向きの爪部７３が形成された係止部７１とを備えている。そしてこの爪部７３が前述のボールバケット３１の溝４５に嵌ることによりボールバケット３１に、一体的に且つ相互に回転可能に取り付けられる。内部の中空部７５にはフランジ６５の下面より若干下の位置で肩部７７が形成されている。なお、係止部７１の内径は前述のボールバケット３１の内径より若干大きくなっている。
【００１３】
図３は、ボールバケット３１内にボール８１を入れ、キャップ６１をボールバケット３１に取り付けた状態の断面図である。すなわち、ボールバケット３１の下端部５３に弁座部材４７を取付け、ボールバケット３１内にボール８１を上から入れる。ボール８１は弁座部５１により受止められる。次いでキャップ６１を、ボールバケット３１の上端部４３の弾性変形を利用してボールバケット３１に取付ける。これで通常ではキャップ６１がボールバケット３１から外れることはなく、ボール８１はボールバケット３１から飛び出すことはない。なお、前述の通りボールバケット３１とキャップ６１とは相対回転可能である。
【００１４】
このようにして組立てられたバケット組立て体８３をボールバケット３１の下端部３９側から弁本体３の筒部１９に通して挿入し、弁本体３に取り付ける。この時に、ボールバケット３１に形成されたリブ３７を利用してボールバケット３１の弁本体３との円周方向における位置決めを行う。すなわち、弁本体３の筒部１９の下部に形成されたフランジ２３には、ボールバケット３１が前述のようにその大きいほうの開口３３が下流側に向けられたときの径方向反対側の位置に、図４に示すように縦溝２４が形成され、その溝２４にボールバケット３１のリブ３７が嵌ることにより両者の位置決めが行われる。溝２４の幅寸法はリブ３７の幅に対応して設定されており、がたつきが生じないようになっている。なお、リブ３７は図示の通りボールバケット３１の上端部４３から最初に挿入される下端部３９の近くまで伸びているので、挿入時の位置決めが行いやすい。なお、位置決め用のリブ３７と溝２４とは円周方向に隔てて複数設けてもよい。また、リブ３７を弁本体３に、縦溝２４をボールバケット３１に形成しても良い。その場合、縦溝２４を上記実施の形態でのリブ３７同様に長く形成しておくと位置決めが容易である。
【００１５】
このようにしてバケット組立て体８３を所定の位置まで弁本体３内へ挿入し、次にキャップ６１の雄ネジ６９を弁本体３の雌ネジ２１に螺合させて回転させてさらに挿入する。この際リブ３７が溝２４に嵌っているので、ボールバケット３１は回転しない。したがって開口３３、３５の位置が円周方向においてずれることはない。所定の位置まで挿入すると、ボールバケット３１の下端部３９は弁本体３の円形の壁１７内に嵌り、弁座部材４７の突条５７が隔壁９の上面側に押付けられて圧縮され、この部分を液密にシールする。このようにしてバケット組立て体８３の弁本体３への取付けが完了する。取外すときにはキャップ６１を先と反対方向に回してネジ２１と６９との螺合を外し、その後上方へ引き抜けばよい。
【図面の簡単な説明】
【００１６】
【図１】本発明の一実施形態でボールリフト型逆止弁の縦断面図である。
【図２】ボールバケットとキャップとの組立状態を示す縦断面図である。
【図３】バケット組立体の縦断面図である。
【図４】弁本体の筒部の一部を示す図で、（A）は平面図、（B）は縦断面図である。
【符号の説明】
【００１７】
１：ボールリフト型逆止弁    ３：弁本体    ９：隔壁    １９：筒部  ２１：雌ネジ  ２４：溝    ３１：ボールバケット  ３７：リブ    ４１：内向きフランジ    ４５：円周溝    ６１：キャップ    ６９：雄ネジ    ７３：爪部    ８１：ボール    ８３：バケット組立て体
【図１】
0005090958.tif 000002
【図２】
0005090958.tif 000003
【図３】
0005090958.tif 000004
【図４】
0005090958.tif 000005